(57)【要約】【課題】  水晶素材の内部に生まれ年の干支の守り本尊となる八体の仏像や干支十二支のの像を個別に３Ｄ彫刻した印鑑と、これらの印鑑の微細で優雅な質感を効果的に表現するディスプレイ装置の提供。【解決手段】  上部が開閉自在な透明な蓋体２で覆われたケース１と、該ケース１内に配置され且つ上面周辺部に印鑑３を立設姿勢で着脱自在に保持させるための複数の印鑑載置部４ａが所定の間隔を隔てて同心円的に設けられたターンテーブル４と、該ターンテーブル４を回転駆動させるためのモーター５とからなり、前記ターンテーブル４の印鑑載置部４ａの底面４ｂが光透過可能な透明又は半透明の素材で形成され、印鑑載置部４ａに向かってターンテーブル４の下方から光を照射する複数のＬＥＤランプ６が設けられた構造。【選択図】      図１
2005245861.tif 000002
【特許請求の範囲】
【請求項１】
上部が開閉自在な透明な蓋体(2)で覆われたケース(1)と、該ケース(1)内に配置され且つ上面周辺部に印鑑(3)を立設姿勢で着脱自在に保持させるための複数の印鑑載置部(4a)が所定の間隔を隔てて同心円的に設けられたターンテーブル(4)と、該ターンテーブル(4)を回転駆動するためのモーター(5)とからなり、前記ターンテーブル(4)の印鑑載置部(4a)の底面(4b)が光透過可能な透明又は半透明の素材で形成され、印鑑載置部(4a)に向かってターンテーブル(4)の下方から光を照射する複数のＬＥＤランプ(6)が設けられている印鑑用ディスプレイ。
【請求項２】
印鑑載置部(4a)が８個設けられ、８種類の印鑑を同時に展示するように形成され、前記ＬＥＤランプ(6)がケース(1)に定着されている請求項１に記載の印鑑用ディスプレイ。
【請求項３】
ＬＥＤランプ(6)が赤、青、緑の三色のＬＥＤ素子から構成されている請求項１〜３の何れかに記載の印鑑用ディスプレイ。
【請求項４】
水晶素材に三次元レーザ彫刻機を用いてレーザ光を照射することにより該水晶素材の内部に生まれ年の干支の守り本尊となる八体の仏像何れか一体の像が立体的に彫刻されている８種一組の印鑑。
【請求項５】
水晶素材に三次元レーザ彫刻機を用いてレーザ光を照射することにより該水晶素材の内部に干支十二支の何れか一体の像が立体的に彫刻されている１２種一組の印鑑。
【発明の詳細な説明】
【技術分野】
【０００１】
本発明は、水晶素材の内部に仏像等の立体彫刻が施されている印鑑を展示販売するためのディスプレイ装置、並びに水晶の印鑑素材の内部に生まれ年の守り本尊となる仏像や干支十二支の立体像の３Ｄ彫刻が施されている印鑑に関するものである。
【背景技術】
【０００２】
従来、三次元レーザ彫刻機を用いて水晶素材の内部に微細な三次元立体彫刻を施したペンダントや置物等の装飾品は現在市販されており、例えば、特許文献１でも開示されている。また、このような三次元立体彫刻を可能とするレーザー彫刻機は、例えば、特許文献２並びに特許文献３等にみられるものがある。
【特許文献１】特開２００３−６１８１０号公報
【特許文献２】特開平０８−２２９７７１号公報
【特許文献３】特開平１１−７８３８６号公報
【発明の開示】
【発明が解決しようとする課題】
【０００３】
しかしながら、従来のこのような水晶体の内部に三次元立体彫刻を施した印鑑はなく、また、このような印鑑を効果的に展示し、販売するための有効なディスプレイ装置は見られなかった。
【０００４】
そこで本発明は、お守り印鑑として、または、開運印鑑として、水晶製の印鑑素材の内部に生まれ年の干支の守り本尊となる８種八体の仏像や干支十二支の夫々の像を、個別に３Ｄ彫刻した印鑑を提供すると共に、これら複数の印鑑をＬＥＤ光によるイルミネーションでスライドショー的に、或いは幻想的に演出して、商品の微細で優雅な質感と仏像や干支像を効果的に表現し、見る人に購買意欲を促進させることができるコンパクトなディスプレイ装置を提供することを主たる目的とするものである。
【課題を解決するための手段】
【０００５】
該目的を達成するために本発明では次のような技術的手段を講じた。即ち、本発明に係る印鑑ディスプレイ装置にあっては、上部が開閉自在な透明な蓋体２で覆われたケース１と、該ケース１内に配置され且つ上面周辺部に印鑑３を立設姿勢で着脱自在に保持させるための複数の印鑑載置部４ａが所定の間隔を隔てて同心円的に設けられたターンテーブル４と、該ターンテーブル４を回転駆動させるためのモーター５とからなり、前記ターンテーブル４の印鑑載置部４ａの底面４ｂが光透過可能な透明又は半透明の素材で形成され、少なくとも一つの印鑑載置部４ａに向かってターンテーブル４の下方から光を照射する複数のＬＥＤランプ６が設けられている構造とした。
【０００６】
この印鑑ディスプレイ装置は、生まれ年の守り本尊を３Ｄ彫刻した印鑑の場合には、印鑑載置部４ａが８個設けられ、８種類の守り本尊彫刻印鑑を同時に展示するように形成され、前記ＬＥＤランプ６は、ケース１に定着させてその上方を通過する印鑑載置部４ａに向かって光を照射させるか、或いはターンテーブル４に取り付けてターンテーブルと共に回転しながら常時光を照射させるか、何れの構成であってもよい。
【０００７】
前記印鑑載置部４ａは８カ所とするのが好ましい。これは、展示する印鑑の内部に３Ｄ彫刻される干支十二支の守り本尊の仏像が八体であり、これら守り本尊を個別に３Ｄ彫刻した印鑑８本の全てを同時に展示できるからである。
【０００８】
他方、干支十二支の動物像を展示する印鑑ディスプレイ装置の場合には、印鑑載置部４ａが１２個（図省略）設けられ、１２種類の干支を彫刻した印鑑を同時に展示するように形成される。その他の構成は、前記守り本尊の仏像彫刻印鑑のディスプレイ装置と同様の構造とする。
【０００９】
前記ターンテーブル４を回転駆動させるモーター５の電源は、ＡＣ１００Ｖ電源が好ましいが電池であっても良い。またＬＥＤランプ６は、赤、青、緑の三色のＬＥＤ素子から構成し、個別に発光させたり、一部を重複発光させるようにしてもよい。
【００１０】
前記印鑑載置部４ａの底面４ｂは、印鑑載置部４ａの下方から投射される光を上方に向かって乱反射させるような凹凸面で形成するか、凹凸面を形成した板体を介在させた場合には、これによりイルミネーション効果を高めることができる。
【００１１】
またＬＥＤランプ６は、ターンテーブル４上の印鑑３をスライドショー的に順次照光するように構成するのが演出効果を高めて有効である。
【００１２】
更に本発明では、水晶素材に三次元レーザ彫刻機を用いてレーザ光を照射することにより、該水晶素材の内部に生まれ年の干支の守り本尊となる八体の仏像や、干支十二支の夫々の像を個別に３Ｄ彫刻した印鑑を提供する。この印鑑は、下面に名字や名前等の印章を彫るまえの印鑑母材であって、購入後に購入者の名字や名前が彫刻されて認印や銀行印、実印若しくは法人の代表者印として販売される。
【発明の効果】
【００１３】
本発明の印鑑ディスプレイ装置にあっては、水晶素材の内部に生まれ年の干支の守り本尊となる八体の仏像や干支十二支の夫々の像を一体づつ個別に３Ｄ彫刻した複数種類の印鑑をターンテーブル上に載置することによって、ＬＥＤ光によるイルミネーションで商品の微細で優雅な質感を効果的に表現でき、購買意欲を高めることができると共に、モーターによって駆動されるターンテーブルとＬＥＤランプの発光照射とによる構成であるから故障なく長期間使用できるといった効果がある。
【００１４】
また、本発明による印鑑にあっては、水晶素材の内部に、生まれ年の干支の守り本尊となる八体の仏像や干支十二支の夫々の像が個別に３Ｄ彫刻されているので、微細で優雅な質感と共に、ユーザーが自己の守り本尊の仏像や干支が彫刻された印鑑母材を選択でき、開運印鑑として使用することができるという精神的安らぎが得られる効果がある。
【発明を実施するための最良の形態】
【００１５】
図１並びに図２は本発明に係る印鑑ディスプレイ装置の第１の実施例を示すものであっる。同図において、符号１は平面視円形のケースであって、上部が開閉自在な椀状の透明な蓋体２で覆われている。このケース１内に、上面周辺部に印鑑３を立設姿勢で着脱自在に保持するための凹んだ８カ所の印鑑載置部４ａが、所定の間隔を隔てて同心円的に設けられたターンテーブル４が配置されている。該ターンテーブル４は垂直な軸７を備え、この軸７がケース１に定置されたボス８に回動自在に保持されている。
【００１６】
ターンテーブル４は大歯車９並びに小歯車１０を介してケース１に定着されたモーター５に連結されており、該モーター５により低速回転するように構成されている。モーター５の電源としては、ＡＣ１００Ｖ電源を低電圧化して使用するのが好ましいが、電池を使用するものとしても良い。
【００１７】
ターンテーブル４の印鑑載置部４ａの底面４ｂは、光透過可能な透明又は半透明の合成樹脂又はガラス素材により、下方から投射される光を上方に乱反射できるように凹凸面で形成されている。また、印鑑載置部４ａに向かってターンテーブル４の下方から光を照射するＬＥＤランプ６が設けられている。本実施例にあっては、ＬＥＤランプ６は、赤、青、緑の三色のＬＥＤ素子から構成されており、ターンテーブル４の印鑑載置部４ａが通過する軌跡の下方でケース１に定着されている。またＬＥＤランプ６は、円方向に所定の間隔を隔てて４カ所に配置されていて、印鑑載置部４ａに置いた８個の印鑑３を一つ飛びに交互に照光するように形成されている。しかし、この場合、ＬＥＤランプ６を一つ又は二つのみのものとして８個の印鑑をスライドショー的に順次照光するように構成することも可能であり、例えば、ディスプレイ装置の前面側のみに複数のＬＥＤランプ６を集中させて照光するようにしてもよい。ＬＥＤランプ６の周りには反射鏡１１が設けられていて照光効率が高められている。また、ディスプレイ装置の背面側に弧状に反射鏡を設けることによって、ディスプレイ装置全体を立体化させて印鑑をより一層美しく見せるようにしてもよい。
【００１８】
上記の如く構成されたディスプレイ装置では、ターンテーブル４の印鑑載置部４ａに例えば生まれ年の守り本尊となる八体の仏像を個別に水晶素材内部に３Ｄ彫刻した８個の印鑑３を載置してターンテーブル４を回転させ、下方からＬＥＤランプ６が印鑑３を照光することによって、水晶素材内部に形成された３Ｄ彫刻が優雅に且つ魅惑的に演出させて見る人に購買意欲を誘起させることができる。
【００１９】
図３並びに図４は本発明に係る印鑑用ディスプレイの第２実施例を示すものであって、ＬＥＤランプ６がターンテーブル４の下面側に取り付けてられてターンテーブルと共に回転しながら光を印鑑載置部４ａに向かって照射するように構成されている。この実施例の場合、ＬＥＤランプ６は、赤、青、赤、緑の４個を一組とし、赤の照射を多くしてより引き立たせることができるようにしてある。また、この実施例のＬＥＤランプ６は、全ての印鑑載置部４ａの下方に取り付けられ、全てを同時に点灯させたり、交互に、或いは間欠的に、又は順次的に点灯させることができるように設定されている。ＬＥＤランプ６への通電は例えば摺動接触端子１２を介して行うようにすることも可能である。この実施例にあっても、先の実施例と同様に回転するターンテーブル４の下方からＬＥＤランプ６によって印鑑３を照光することで、水晶素材内部に形成された３Ｄ彫刻を優雅に且つ魅惑的に演出することができる。
【００２０】
図面は省略するが、干支十二支を個別に彫刻した１２種類の印鑑を展示するための印鑑用ディスプレイの場合は、印鑑を立てて展示する印鑑載置部４ａを１２個備えている構造としてある。
【００２１】
また本発明に係る印鑑３は、水晶素材に三次元レーザ彫刻機を用いてレーザ光を照射することにより、水晶素材の内部に、干支十二支の夫々の像や、生まれ年の干支の守り本尊となる夫々の仏像を個別に３Ｄ彫刻して構成されている。生まれ年の守り本尊を記載すると次の通りである。子（ねずみ）年生まれの人の守り本尊は千手観音菩薩、丑（うし）年生まれの人並びに寅（とら）年生まれの人の守り本尊は虚空蔵菩薩、卯（うさぎ）年生まれの人の守り本尊は文殊菩薩、辰（たつ）年生まれの人並びに巳（へび）年生まれの人の守り本尊は普賢菩薩、午（うま）年生まれの人の守り本尊は勢至菩薩、未（ひつじ）年生まれの人並びに申（さる）年生まれの人の守り本尊は大日如来、酉（とり）年生まれの人の守り本尊は不動明王、戌（いぬ）年生まれの人並びに亥（いのしし）年生まれの人の守り本尊は阿弥陀如来である。このように水晶体素材の内部に生まれ年の干支の守り本尊となる夫々の仏像や干支十二支の夫々の像が３Ｄ彫刻されている印鑑は、微細で優雅な質感と共に、開運印鑑としての効用が高い。
【産業上の利用可能性】
【００２２】
本発明の印鑑は、名字や名前その他の印章を彫るまえの印鑑母材であって、母材の購入後に購買者が希望する名字や名前が彫刻されて販売される。
【図面の簡単な説明】
【００２３】
【図１】本発明に係るディスプレイ装置の第１の実施例を示す断面図であって、図２のＡ−Ａ線に沿って断面されている。
【図２】上記第１実施例の蓋体を取り外した一部断面平面図。
【図３】本発明に係るディスプレイ装置の第２の実施例を示す断面図。
【図４】上記第２実施例の蓋体を取り外した部断面平面図
【符号の説明】
【００２４】
１  ケース
２  蓋体
３  印鑑
４  ターンテーブル
４ａ  印鑑載置部
４ｂ  底面
５  モーター
６  ＬＥＤランプ
【図１】
2005245861.tif 000003
【図２】
2005245861.tif 000004
【図３】
2005245861.tif 000005
【図４】
2005245861.tif 000006